(57)【要約】【課題】  フレキシブル配線基板の先端部の離脱を効果的に防止することができる光ピックアップの配線構造を提供する。【解決手段】  レンズ群Ｌ１，Ｌ２を保持するレンズホルダ３０と、このレンズホルダ３０を光磁気ディスクの厚み方向に変位可能に支持する板バネ４０とを備えた光ピックアップＰにおいて、レンズ群Ｌ１，Ｌ２には、光磁気ディスクに最も近接するとともに磁気記録用のコイルを有するコイル付きレンズ２１が含まれており、このコイル付きレンズ２１には、コイルに電流を通すためのフレキシブル配線基板５０が接続されている光ピックアップの配線構造であって、フレキシブル配線基板５０は、板バネ４０に沿って延びる平板部５０Ａと、この平板部５０Ａに連続してコイル付きレンズ２１に接続される先端部５０Ｂとを有しており、かつ、平板部５０Ａと先端部５０Ｂとの間には、開口５０Ｃが設けられている。【選択図】  図２
2006059450.tif 000002
【特許請求の範囲】
【請求項１】
光磁気ディスク上に光スポットを形成するレンズ群と、これらのレンズ群を保持するレンズホルダと、このレンズホルダを光磁気ディスクの厚み方向に変位可能に支持する板バネとを備えた光ピックアップにおいて、上記レンズ群には、光磁気ディスクに最も近接するとともに磁気記録用のコイルを有するコイル付きレンズが含まれており、このコイル付きレンズには、上記コイルに電流を通すためのフレキシブル配線基板が接続されている光ピックアップの配線構造であって、
上記フレキシブル配線基板は、上記板バネに沿って延びる平板部と、この平板部に連続して上記コイル付きレンズに接続される先端部とを有しており、かつ、
上記フレキシブル配線基板の平板部と先端部との間には、開口が設けられていることを特徴とする、光ピックアップの配線構造。
【請求項２】
上記フレキシブル配線基板の先端部は、上記平板部よりも幅広に形成されている、請求項１に記載の光ピックアップの配線構造。
【請求項３】
上記フレキシブル配線基板の平板部は、上記板バネに貼り着けられている、請求項１または２に記載の光ピックアップの配線構造。
【請求項４】
上記コイル付きレンズの側部には、上記コイルの端子部が形成されているとともに、上記フレキシブル配線基板の先端部には、導線の先端を露出させることでランド部が形成されており、上記端子部およびランド部は、はんだ付けまたはワイヤボンディングによって接続されている、請求項１ないし３のいずれかに記載の光ピックアップの配線構造。
【発明の詳細な説明】
【技術分野】
【０００１】
本願発明は、いわゆるニアフィールド記録方式の光磁気ヘッドに用いられる光ピックアップの配線構造に関する。
【背景技術】
【０００２】
ニアフィールド記録方式の光ピックアップとしては、たとえば特許文献１に開示されたものがある。この特許文献１に開示された従来の光ピックアップは、光磁気ディスク上に光スポットを形成するレンズ群と、これらのレンズ群を保持するレンズホルダとを備えて構成されている。レンズ群には、光磁気ディスクに磁界を印加して磁気記録を行うためのコイル（磁気記録用のコイル）を有するコイル付きレンズが含まれており、このコイル付きレンズが光磁気ディスクに最も近接するように配置されている。
【０００３】
上記従来の光ピックアップでは、図５に示すような配線構造が一例として採用されている。同図に示されているように、レンズホルダ３００には、このレンズホルダ３００を光磁気ディスクの厚み方向（フォーカス方向Ｆｃ）に変位させるためのフォーカスコイル３１０が設けられており、キャリッジ（図示略）には、上記フォーカスコイル３１０の一部分と対向するように磁石７１０が固定されている。このようなレンズホルダ３００は、フォーカスコイル３１０の電流を制御することにより、板バネ４００を介してキャリッジの固定部７００Ａに支持された状態でフォーカス方向Ｆｃに変位可能となっている。一方、コイル付きレンズ２１０の側部には、磁気記録用のコイル（図示略）に電流を通すためのフレキシブル配線基板５００が接続されている。このフレキシブル配線基板５００は、板バネ４００に貼り着けられた平板部５００Ａと、この平板部５００Ａに連続しつつも立ち上がった姿勢で上記コイル付きレンズ２１０の側部に接続された先端部５００Ｂとを有している。このようなフレキシブル配線基板５００は、板バネ４００やコイル付きレンズ２１０に一体化されていることから、レンズホルダ３００がフォーカス方向Ｆｃに変位してもそれほど大きく変形することはない。
【０００４】
【特許文献１】特開２００３−１６２８５０号公報
【発明の開示】
【発明が解決しようとする課題】
【０００５】
しかしながら、上記従来の光ピックアップの配線構造では、フレキシブル配線基板５００の平板部５００Ａと先端部５００Ｂとの間の部分が比較的短いことから、レンズホルダ３００がフォーカス方向Ｆｃに変位するのに伴って上記部分が引っ張られやすくなっている。そのため、レンズホルダ３００がフォーカス方向Ｆｃに繰り返し変位する状況においては、フレキシブル配線基板５００の先端部５００Ｂがコイル付きレンズ２１０の側部から離脱しまうおそれがあった。
【０００６】
本願発明は、上記した事情のもとで考え出されたものであって、フレキシブル配線基板の先端部の離脱を効果的に防止することができる光ピックアップの配線構造を提供することをその課題としている。
【課題を解決するための手段】
【０００７】
上記課題を解決するため、本願発明では、次の技術的手段を講じている。
【０００８】
本願発明によって提供される光ピックアップの配線構造は、光磁気ディスク上に光スポットを形成するレンズ群と、これらのレンズ群を保持するレンズホルダと、このレンズホルダを光磁気ディスクの厚み方向に変位可能に支持する板バネとを備えた光ピックアップにおいて、上記レンズ群には、光磁気ディスクに最も近接するとともに磁気記録用のコイルを有するコイル付きレンズが含まれており、このコイル付きレンズには、上記コイルに電流を通すためのフレキシブル配線基板が接続されている光ピックアップの配線構造であって、上記フレキシブル配線基板は、上記板バネに沿って延びる平板部と、この平板部に連続して上記コイル付きレンズに接続される先端部とを有しており、かつ、上記フレキシブル配線基板の平板部と先端部との間には、開口が設けられていることを特徴としている。
【０００９】
好ましい実施の形態としては、上記フレキシブル配線基板の先端部は、上記平板部よりも幅広に形成されている。
【００１０】
他の好ましい実施の形態としては、上記フレキシブル配線基板の平板部は、上記板バネに貼り着けられている。
【００１１】
他の好ましい実施の形態としては、上記コイル付きレンズの側部には、上記コイルの端子部が形成されているとともに、上記フレキシブル配線基板の先端部には、導線の先端を露出させることでランド部が形成されており、上記端子部およびランド部は、はんだ付けまたはワイヤボンディングによって接続されている。
【００１２】
このような構成によれば、フレキシブル配線基板の平板部と先端部との間の部分は、開口を迂回して連続するような形状になるため、この部分が従来のものよりも細長くてしなやかに曲がりやすい。その結果、レンズホルダが光磁気ディスクの厚み方向に変位することによっても、フレキシブル配線基板の平板部と先端部との間の部分には張力がかかりにくい。これにより、本願発明によれば、フレキシブル配線基板の先端部がコイル付きレンズから離脱するといったことを効果的に防止することができる。
【００１３】
本願発明のその他の特徴および利点は、添付図面を参照して以下に行う詳細な説明によって、より明らかとなろう。
【発明を実施するための最良の形態】
【００１４】
以下、本願発明の好ましい実施の形態を、図面を参照して具体的に説明する。図１〜４は、本願発明に係る光ピックアップの一実施形態を示している。
【００１５】
図１に示されているように、本実施形態の光ピックアップＰは、いわゆるニアフィールド記録方式により光磁気ディスク（以下、単に「ディスク」と称する）８０にデータを記録したり、記録したデータの再生を行うためのものである。このニアフィールド記録方式による光ピックアップＰでは、ディスク８０の記録層８８に焦点を合わせてレーザスポットを形成しつつ、この記録層８８に対して垂直磁界を印加する。このような光ピックアップＰは、レーザスポットを形成するための第１レンズＬ１および第２レンズＬ２（レンズ群）、これら第１レンズＬ１および第２レンズＬ２を保持するレンズホルダ３０、レンズホルダ３０をディスク８０の厚み方向（フォーカス方向）に変位可能に支持する一対の板バネ４０（図２および図３参照）、ならびに第２レンズＬ２に接続されたフレキシブル配線基板５０（図２および図３参照）を備えて構成されている。なお、ディスク８０の表面には、たとえば５０μｍ以下の厚さの透明な保護層８９が形成されており、この極薄の保護層８９によって記録層８８が覆われている。
【００１６】
図３に良く示されているように、第１レンズＬ１は、レンズホルダ３０の上部開口３０Ａに固定されている。第２レンズＬ２は、平凸レンズ２０とコイル付きレンズ２１とを組み合わせて構成されている。コイル付きレンズ２１の光出射面は、ディスク８０に最も近接する面であり、この光出射面付近には、ディスク８０に対して磁界を印加するためのコイル２２が一体形成されている。コイル付きレンズ２１の側部には、コイル２２の端子部２２Ａが露出するように形成されている。レーザ光は、コイル２２の中心部を通ってディスク８０へと向かう。このような第２レンズＬ２は、第１レンズＬ１の光出射面側に鏡筒部材６０を介して固定されている。これにより、第１および第２レンズＬ１，Ｌ２は、互いに所定の間隔をあけてレンズホルダ３０に保持されている。
【００１７】
図１に良く示されているように、レンズホルダ３０は、コイル付きレンズ２１をディスク８０側に向けた姿勢でキャリッジ７０の内部に設けられている。また、図１〜３に示されているように、レンズホルダ３０の両側部には、このレンズホルダ３０をフォーカス方向Ｆｃに変位させるためのフォーカスコイル３１が設けられている。キャリッジ７０の内壁適部には、上記フォーカスコイル３１の直線状部分と対向するように磁石７１が固定されている。このレンズホルダ３０は、一対の板バネ４０を介してキャリッジ７０の固定部７０Ａに支持されている（図２および図３参照）。このようなレンズホルダ３０は、フォーカスコイル３１の電流を制御することにより、フォーカス方向Ｆｃに変位可能となっている。たとえば、ディスク８０の回転が停止中には、レンズホルダ３０がディスク８０から最も離れたオフセット位置にある。このとき、コイル付きレンズ２１の表面から保護層８９の表面までの作動距離は、０．５ｍｍ程度である。一方、ディスク８０の回転中には、厚み方向（フォーカス方向）に微妙に動くディスク８０に対してコイル付きレンズ２１を追従させるために、上記作動距離を例えば４０μｍ未満といった極めて短い一定の距離に保たなければならない。そのため、ディスク８０の回転中、レンズホルダ３０は、フォーカス方向Ｆｃに±０．１ｍｍ程度の極めて小さい可動幅をもって変位させられる。なお、フォーカスコイル３１には、フレキシブル配線基板５０とは別の配線手段（図示略）を介して電流が導かれるように構成されている。
【００１８】
図１に示されているように、キャリッジ７０は、たとえばボイスコイルモータ（図示略）の駆動力によってトラッキング方向Ｔｇに移動自在である。このキャリッジ７０の移動により、レンズホルダ３０を目的のトラックの近傍に配置させるシーク動作がなされる。レーザ光は、図示されていないレーザダイオードやコリメータレンズなどを備えた固定光学部からキャリッジ７０に向けて進行し、キャリッジ７０に内蔵された立ち上げミラー７２に到達するように構成されている。立ち上げミラー７２によって上方に反射されたレーザ光は、レンズホルダ３０の内部を通って第１レンズＬ１、第２レンズＬ２の順に入射することにより集束され、これによりディスク８０の記録層８８上にレーザスポットが形成される。上記固定光学部には、ビームスプリッタや光検出器も設けられており、記録層８８によってレーザ光が反射されると、その反射光が上記光検出器で検出される。図示されていない制御用のマイクロコンピュータは、ディスク８０の回転中、上記光検出器からのフォーカスエラー信号に基づいてフォーカスコイル３１を制御し、これによりレンズホルダ３０が板バネ４０によって弾性的に支持された状態でフォーカス方向Ｆｃに変位する。なお、図１には、板バネ４０が示されていないが、板バネ４０は、フォーカス方向Ｆｃおよびトラッキング方向Ｔｇの両方向に対して直交する方向（紙面に対して垂直な方向）に沿うように設けられている。
【００１９】
図３に良く示されているように、フレキシブル配線基板５０は、コイル付きレンズ２１のコイル２２に電流を通すためのものであり、たとえばポリイミドフィルムからなるベース材５１およびカバー材５２と、これらの間に形成された導線５３とを有して構成されている。このフレキシブル配線基板５０は、板バネ４０に沿って貼り着けられた平板部５０Ａと、平板部５０Ａに連続しつつも立ち上がった姿勢でコイル付きレンズ２１の側部に接続された先端部５０Ｂとを有している。フレキシブル配線基板５０の平板部５０Ａと先端部５０Ｂとの間の部分には、開口５０Ｃが設けられている。そのため、導線５３は、図４に良く示されているように、開口５０Ｃの両側を迂回して平板部５０Ａから先端部５０Ｂへと連続するように形成されている。また、先端部５０Ｂは、平板部５０Ａよりも幅広となるように形成されている。この先端部５０Ｂには、カバー材５２を設けずに導線５３の先端を露出させることでＬ字状のランド部５３Ａが形成されている。上記開口５０Ｃを形成するには、たとえば先端部５０Ｂが平板部５０Ａよりも幅広となるフレキシブル配線基板を形成した後、導線５３を切断しないように先端部５０Ｂと平板部５０Ａとの間の部分を打ち抜けばよい。このようにすれば、上記フレキシブル配線基板５０を容易に製作することができる。このようなフレキシブル配線基板５０は、先端部５０Ｂがコイル付きレンズ２１の光入射面側の表面に貼り着けられているとともに、コイル付きレンズ２１の側部に設けられた端子部２２Ａに対してランド部５３Ａがはんだ６５によって接合されている。なお、図３において図外となるフレキシブル配線基板５０の基端部は、図示されない電流制御回路に接続されており、この電流制御回路からフレキシブル配線基板５０を経由してコイル２２に電流が導かれる。光ピックアップＰの配線構造は、このようなフレキシブル配線基板５０によって構成されている。
【００２０】
次に、光ピックアップＰの配線構造の作用について説明する。
【００２１】
レンズホルダ３０がフォーカス方向Ｆｃに変位する量は、ディスク８０の回転開始時や停止時に最も大きく、その最大変位量としては、０．５ｍｍ程度である。ディスク８０の回転中には、レンズホルダ３０が±０．１ｍｍ程度の範囲で変位させられるにすぎない。また、レンズホルダ３０がフォーカス方向Ｆｃに変位すると、フレキシブル配線基板５０は、その平板部５０Ａおよび先端部５０Ｂが板バネ４０およびコイル付きレンズ２１と一体になって動く。そのため、フレキシブル配線基板５０は、平板部５０Ａから先端部５０Ｂにかけてそれほど大きく変形することはない。
【００２２】
しかしながら、レンズホルダ３０が繰り返し変位していると、板バネ４０とコイル付きレンズ２１との相対的な位置関係が微妙にずれてくる。そうなると、フレキシブル配線基板５０における平板部５０Ａと先端部５０Ｂとの間の部分は、当初よりも若干引っ張られた状態になる。
【００２３】
ここで、平板部５０Ａと先端部５０Ｂとの間の部分は、開口５０Ｃを迂回しつつ連続しており、さらに、平板部５０Ａと先端部５０Ｂとの幅寸法が異なっている。そのため、上記平板部５０Ａと先端部５０Ｂとの間の部分は、平板部から先端部にかけて一様な幅寸法で開口が形成されていない従来のものと比べると、細長い形状でしなやかに曲がりやすいようになっている。したがって、レンズホルダ３０がフォーカス方向Ｆｃに繰り返し変位することによっても、平板部５０Ａと先端部５０Ｂとの間の部分には張力がかかりくいことから、フレキシブル配線基板５０の先端部５０Ｂは、コイル付きレンズ２１の側部から脱落するといったことはない。
【００２４】
また、フレキシブル配線基板５０は、先端部５０Ｂが平板部５０Ａよりも幅広に形成されており、これに伴い先端部５０Ｂにおけるランド部５３Ａが比較的大きなＬ字状に形成されている。そのため、ランド部５３Ａと端子部２２Ａとは、十分な量のはんだ６５を介して強固に接合されており、フレキシブル配線基板５０の先端部５０Ｂ全体としても、十分な接着面をもってコイル付きレンズ２１の側部に確実に接着されている。このことからも、フレキシブル配線基板５０の先端部５０Ｂは、コイル付きレンズ２１の側部から脱落するといったことはない。
【００２５】
ところで、光ピックアップＰを製造する際には、第２レンズＬ２を鏡筒部材６０に固定した後、この第２レンズＬ２との間隔を微調整しながら第１レンズＬ１を鏡筒部材６０およびレンズホルダ３０に固定する。このとき、第２レンズＬ２を構成するコイル付きレンズ２１には、すでにフレキシブル配線基板５０が接続された状態にある。また、第１レンズＬ１を固定するための接着剤としては、一般に紫外線硬化樹脂が用いられる。すなわち、第１レンズＬ１の固定部位には、紫外線が照射されるが、フレキシブル配線基板５０の裏側に位置する第１レンズＬ１の固定部位に対しても、フレキシブル配線基板５０の開口５０Ｃを通じて外部から紫外線を照射することができる。そのため、第１レンズＬ１については、鏡筒部材６０やレンズホルダ３０に対して確実に固定することができる。
【００２６】
なお、本願発明は、上記の実施形態に限定されるものではない。
【００２７】
フレキシブル配線基板のランド部とコイル付きレンズの端子部とは、たとえばワイヤボンディングによって接合するようにしてもよい。
【図面の簡単な説明】
【００２８】
【図１】本願発明に係る光ピックアップの一実施形態を示す全体断面図である。
【図２】図１に示された光ピックアップの配線構造を示す斜視図である。
【図３】図２のIII−III線に沿う断面図である。
【図４】図２に示されたフレキシブル配線基板の平面図である。
【図５】従来の光ピックアップの配線構造を示す斜視図である。
【符号の説明】
【００２９】
Ｐ      光ピックアップ
Ｌ１    第１レンズ
Ｌ２    第２レンズ
２１    コイル付きレンズ
２２    コイル（磁気記録用）
２２Ａ  端子部
３０    レンズホルダ
４０    板バネ
５０    フレキシブル配線基板
５０Ａ  平板部
５０Ｂ  先端部
５０Ｃ  開口
５３    導線
５３Ａ  ランド部
６０    鏡筒部材
６５    はんだ
８０    光磁気ディスク
【図１】
2006059450.tif 000003
【図２】
2006059450.tif 000004
【図３】
2006059450.tif 000005
【図４】
2006059450.tif 000006
【図５】
2006059450.tif 000007